(57)【要約】【課題】構成部品の情報を容易に把握することができ、さらに構成部品の使用の可否についても容易に判断することができる防災受信機を提供すること。【解決手段】防災受信機１は、複数の構成部品１０を有する防災受信機１において、当該構成部品１０に関する部品情報を格納する個別ＩＣタグ２０と、構成部品１０の使用の可否に関する適合性情報を格納する統括ＩＣタグ３０とを備える。適合性情報は、例えば、防災受信機に適合する構成部品の部品情報、又は、構成部品間で互いに適合する組合せの組合せ情報を含む。【選択図】図１
2008217416.tif 000002
【特許請求の範囲】
【請求項１】
複数の構成部品を有する防災受信機において、
当該構成部品に関する部品情報を格納する個別ＩＣタグと、
前記構成部品の使用の可否に関する適合性情報を格納する統括ＩＣタグと、
を備えることを特徴とする防災受信機。
【請求項２】
前記適合性情報は、前記防災受信機に適合する前記構成部品の前記部品情報、又は、前記構成部品間で互いに適合する組合せの組合せ情報を含んでいること、
を特徴とする請求項１に記載の防災受信機。
【請求項３】
前記個別ＩＣタグから前記部品情報を読み取ると共に、前記統括ＩＣタグから前記適合性情報を読み取るためのＩＣタグリーダと、
前記ＩＣタグリーダにて読み取った前記部品情報又は前記適合性情報から、前記防災受信機における前記構成部品の使用の可否を判断する適合性判断手段と、
を備えることを特徴とする請求項１または２に記載の防災受信機。
【請求項４】
前記ＩＣタグリーダは、前記個別ＩＣタグから前記部品情報を所定周期で読み取ること、
を特徴とする請求項３に記載の防災受信機。
【請求項５】
前記構成部品の交換作業又は仕様変更が行われるタイミングを判定し、判定結果に応じて、前記ＩＣタグリーダによる読み取りの開始又は読み取りの周期を制御する制御手段を備えること、
を特徴とする請求項３または4に記載の防災受信機。
【請求項６】
前記構成部品の交換作業を感知する交換感知手段を備え、
前記制御手段は、前記交換感知手段が交換作業を感知した場合に、前記交換作業が行われるタイミングと判定すること、
を特徴とする請求項５に記載の防災受信機。
【請求項７】
前記構成部品の交換作業又は仕様変更が行われるタイミングを指示する指示手段を備え、
前記制御手段は、前記指示手段によって指示された前記タイミングに基づいて、前記構成部品の交換作業又は仕様変更が行われるタイミングを判定すること、
を特徴とする請求項５または６に記載の防災受信機。
【請求項８】
前記制御手段は、前記交換作業が行われるタイミングと判定された場合に、前記ＩＣタグリーダによる読み取りの周期を、通常時の第１の周期から当該第1の周期よりも短い第２の周期に切り替えること、
を特徴とする請求項５から７のいずれか一項に記載の防災受信機。
【請求項９】
前記構成部品を前記防災受信機の外部から隔離する開閉可能な扉体を備え、
前記制御手段は、前記交換感知手段によって前記構成部品の交換作業が感知された場合において、前記適合性判断手段によって前記構成部品が当該防災受信機において使用可と判断される迄、扉体を閉鎖不能とすること、
を特徴とする請求項６に記載の防災受信機。
【請求項１０】
前記ＩＣタグリーダにて読み取った前記部品情報及び前記適合性情報、又は、前記適合性判断手段による判断結果を出力する出力手段を備えること、
を特徴とする請求項３から9のいずれか一項に記載の防災受信機。
【請求項１１】
前記ＩＣタグリーダにて読み取った前記部品情報及び前記適合性情報、又は、前記適合性判断手段による判断結果を記憶する記憶手段を備えること、
を特徴とする請求項３から１０のいずれか一項に記載の防災受信機。
【請求項１２】
前記構成部品の1つとしてバッテリを備える前記防災受信機において、
前記バッテリに関する部品情報を格納する個別ＩＣタグは、当該部品情報の一部として、当該バッテリの使用期間を特定するための情報を含み、
前記バッテリの放電特性を測定する放電特性測定手段と、
前記ＩＣタグリーダにて読み取った前記バッテリの使用期間を特定するための情報又は前記放電特性測定手段にて測定したバッテリの放電特性に基づいて、前記バッテリの交換時期予測を行う交換時期予測手段を備えること、
を特徴とする請求項３から１１のいずれか一項に記載の防災受信機。
【発明の詳細な説明】
【技術分野】
【０００１】
本発明は、交換可能な複数の構成部品を有する防災受信機に関する。
【背景技術】
【０００２】
従来から、オフィスビルや工場等の建物において、火災発生やガス漏れの有無を検出して警報を発する防災システムが広く利用されている。このような防災システムでは、火災感知器やガス漏れ検知器等のいわゆる防災端末から出力される信号を受信し、火災発生の警報出力等を行う防災受信機が用いられている。防災受信機には、防災端末との通信、警報の発報、防災端末の自動試験、各種情報の記憶や表示等の動作を行わせるための各種機器が搭載されており、これらの機器の構成部品としてプリント基板や表示装置等の多数の電子部品が設けられている。また、これらの構成部品の動作を制御するためのソフトウエアも搭載されている。
【０００３】
防災受信機に設けられているこれらの構成部品は交換可能となっているものもあり、当該構成部品が故障した場合や防災受信機に新たな機能の追加を行う場合などに、当該構成部品の交換が行われている。同様に、防災受信機に搭載されているソフトウエアの修正や機能向上のため、当該ソフトウエアのバージョンアップが行われている。
【０００４】
防災受信機に搭載されている構成部品に関する情報やソフトウエアのバージョン情報は、防災受信機に付属している製品マニュアルに記載されている。構成部品の交換やソフトウエアのバージョンアップ等の作業を行う場合、作業者は製品マニュアルを参照し、作業対象の防災受信機に搭載されている構成部品を把握している。また、装置の構成部品の情報を管理するためシステムとして、例えば、医用装置の構成部品情報管理システムが提案されている（特許文献１）。
【０００５】
上記の医用装置の構成部品情報管理システムでは、医用装置に搭載されている部品を把握するために、当該医用装置が製造時点でどのような部品から構成されているかを示す構成情報と、個々の部品の識別を行うためのシリアル番号等の部品識別情報とを対応付けて、当該医用装置の構成部品情報として管理している。具体的には、部品自体に取り付けられたＩＣタグやバーコードに部品識別情報が記録されており、これらのＩＣタグやバーコードからリーダで読み取られた当該部品識別情報が構成情報と対応付けられることによって構成部品情報が作成・管理されている。
【０００６】
【特許文献１】特開２００６−２２１３０６
【発明の開示】
【発明が解決しようとする課題】
【０００７】
しかしながら、上述したように製品マニュアルや構成部品情報管理システムを用いて防災受信機の構成部品の情報を管理する場合には、次のような問題があった。
【０００８】
（１）製品マニュアルを用いて情報を管理する場合
製品マニュアルは防災受信機と共に防災受信機メーカからユーザに納入され、構成部品の情報管理に用いられる。しかし、納入後のメンテナンスは、防災受信機メーカによって直接実施されるだけではなく他のサービス業者によっても実施される。従って、防災受信機の納入後のメンテナンスにおいて他のサービス業者により構成部品の交換やソフトウエアのバージョンアップが実施された後に、防災受信機メーカ等の別の業者が当該防災受信機を修理する場合、その時点での構成部品の情報を即座に把握することができず、交換を要する部品やソフトウエアを特定することが困難な場合があった。そのため、当該防災受信機のメンテナンスを実施した業者に対して作業記録の問い合わせを行う等、構成部品の情報収集の必要性が生じ、修理に要するコストの上昇を招く可能性があった。
【０００９】
また、近年の環境規制の厳格化に関連して、製品に使用されている材料のトレーサビリティを確立することが求められている。しかし、製品マニュアルのみでは、メンテナンスにより交換された構成部品まで含めて一元的に防災受信機の構成部品の材料情報を管理することは困難であり、トレーサビリティ確立の要求を満たすことは困難であった。
【００１０】
（２）構成部品情報管理システムを用いて情報を管理する場合
構成部品自体から取得され構成部品情報の一部として整理されている部品識別情報を参照することで、防災受信機を納入後に修理する時点での構成部品の情報を把握することは可能である。しかし、交換予定の構成部品が防災受信機に適合するか否か、あるいは、交換予定の構成部品と他の構成部品やソフトウエアとの組合せが適切か否かについては、先に得た部品識別情報と交換予定の構成部品の情報とを照らし合わせて確認する必要があった。従って、適合性の判断を誤った場合、本来適合しないはずの構成部品を防災受信機に取り付けてしまい、新たな不具合を発生させる可能性があった。あるいは、構成部品単体では防災受信機に適合しているものの、他の改修された構成部品やバージョンアップされたソフトウエアとの組合せで動作させると不具合を発生させてしまう組合せを識別できず、予期しない不具合を発生させる可能性があった。その結果、本来なら常時運用可能であるべき防災受信機に無用の不具合を発生させ、防災システム全体の信頼性を損なう可能性があった。
【００１１】
本発明は、上記に鑑みてなされたものであって、構成部品の情報を容易に把握することができ、さらに構成部品の使用の可否についても容易に判断することができる防災受信機を提供することを目的とする。
【課題を解決するための手段】
【００１２】
上述した課題を解決し、目的を達成するために、請求項１に記載の防災受信機は、複数の構成部品を有する防災受信機において、当該構成部品に関する部品情報を格納する個別ＩＣタグと、前記構成部品の使用の可否に関する適合性情報を格納する統括ＩＣタグと、を備えること、を特徴とする。
【００１３】
また、請求項２に記載の防災受信機は、請求項１に記載の防災受信機において、前記適合性情報は、前記防災受信機に適合する前記構成部品の前記部品情報、又は、前記構成部品間で互いに適合する組合せの組合せ情報を含んでいること、を特徴とする。
【００１４】
また、請求項３に記載の防災受信機は、請求項１または２に記載の防災受信機において、  前記個別ＩＣタグから前記部品情報を読み取ると共に、前記統括ＩＣタグから前記適合性情報を読み取るためのＩＣタグリーダと、前記ＩＣタグリーダにて読み取った前記部品情報又は前記適合性情報から、前記防災受信機における前記構成部品の使用の可否を判断する適合性判断手段と、を備えることを特徴とする。
【００１５】
また、請求項４に記載の防災受信機は、請求項３に記載の防災受信機において、前記ＩＣタグリーダは、前記個別ＩＣタグから前記部品情報を所定周期で読み取ること、を特徴とする。
【００１６】
また、請求項５に記載の防災受信機は、請求項３または4に記載の防災受信機において、  前記構成部品の交換作業又は仕様変更が行われるタイミングを判定し、判定結果に応じて、前記ＩＣタグリーダによる読み取りの開始又は読み取りの周期を制御する制御手段を備えること、を特徴とする。
【００１７】
また、請求項６に記載の防災受信機は、請求項５に記載の防災受信機において、前記構成部品の交換作業を感知する交換感知手段を備え、前記制御手段は、前記交換感知手段が交換作業を感知した場合に、前記交換作業が行われるタイミングと判定すること、を特徴とする。
【００１８】
また、請求項７に記載の防災受信機は、請求項５または６に記載の防災受信機において、前記制御手段は、前記指示手段によって指示された前記タイミングに基づいて、前記構成部品の交換作業又は仕様変更が行われるタイミングを判定すること、を特徴とする。
【００１９】
また、請求項８に記載の防災受信機は、請求項５から７のいずれか一項に記載の防災受信機において、前記制御手段は、前記交換作業が行われるタイミングと判定された場合に、前記ＩＣタグリーダによる読み取りの周期を、通常時の第１の周期から当該第1の周期よりも短い第２の周期に切り替えること、を特徴とする。
【００２０】
また、請求項９に記載の防災受信機は、請求項６に記載の防災受信機において、前記構成部品を前記防災受信機の外部から隔離する開閉可能な扉体を備え、前記制御手段は、前記交換感知手段によって前記構成部品の交換作業が感知された場合において、前記適合性判断手段によって前記構成部品が当該防災受信機において使用可と判断される迄、扉体を閉鎖不能とすること、を特徴とする。
【００２１】
また、請求項１０に記載の防災受信機は、請求項３から9のいずれか一項に記載の防災受信機において、前記ＩＣタグリーダにて読み取った前記部品情報及び前記適合性情報、又は、前記適合性判断手段による判断結果を出力する出力手段を備えること、を特徴とする。
【００２２】
また、請求項１１に記載の防災受信機は、請求項３から１０のいずれか一項に記載の防災受信機において、前記ＩＣタグリーダにて読み取った前記部品情報及び前記適合性情報、又は、前記適合性判断手段による判断結果を記憶する記憶手段を備えること、を特徴とする。
【００２３】
また、請求項１２に記載の防災受信機は、請求項３から１２のいずれか一項に記載の防災受信機において、前記構成部品の1つとしてバッテリを備える前記防災受信機において、前記バッテリに関する部品情報を格納する個別ＩＣタグは、当該部品情報の一部として、当該バッテリの使用期間を特定するための情報を含み、前記バッテリの放電特性を測定する放電特性測定手段と、前記ＩＣタグリーダにて読み取った前記バッテリの使用期間を特定するための情報又は前記放電特性測定手段にて測定したバッテリの放電特性に基づいて、前記バッテリの交換時期予測を行う交換時期予測手段を備えること、を特徴とする。
【発明の効果】
【００２４】
請求項１に記載の本発明によれば、防災受信機は、各構成部品の部品情報を格納した個別ＩＣタグと、構成部品の使用の可否に関する適合性情報を格納した統括ＩＣタグとを備えている。従って、ＩＣタグリーダを用いて部品情報と適合性情報とを参照することができ、構成部品の使用の可否を容易に判断することができる。非接触式のＩＣタグを用いている場合は、防災受信機の外部からＩＣタグリーダによってＩＣタグに格納されている情報を読み取ることも可能なため、防災受信機の出荷先において点検者等が部品情報及び適合性情報を読み取り、その時点での防災受信機の仕様等を包括的に確認することもできる。また、個別ＩＣタグに格納されている部品情報には、構成部品の環境情報も含めることができるので、当該構成部品に使用されている材料のトレーサビリティを容易に確立することができる。
【００２５】
請求項２に記載の本発明によれば、統括ＩＣタグに格納される適合性情報は、防災受信機に適合している構成部品の部品情報に加えて、構成部品の間の相互の適合性を示す組合せ情報をも含んでいるので、構成部品の使用の可否判断を漏れなく容易に実施することができ、無用の不具合を防止することができる。また、統括ＩＣタグは任意に書込可能なので、ＩＣタグライタを用いて常に最新の適合性情報を書込させることができる。
【００２６】
請求項３に記載の本発明によれば、防災受信機はＩＣタグリーダ、及び、適合性判断手段を備えているので、個別ＩＣタグ及び統括ＩＣタグからの情報取得、及び、構成部品の適合性の判断にいたる処理を、当該防災受信機のみで実施することができる。
【００２７】
請求項４に記載の本発明によれば、所定の周期でＩＣタグリーダに部品情報の読取を行わせているので、各構成部品の最新の部品情報を取得することができる。
【００２８】
請求項５に記載の本発明によれば、構成部品の交換作業又は仕様変更が行われるタイミングの判定結果に応じて、ＩＣタグリーダによる読み取りの開始または読み取りの周期を制御するので、各構成部品の最新の部品情報を迅速かつ確実に取得することができる。
【００２９】
請求項６に記載の本発明によれば、交換感知手段によって構成部品の交換作業を感知できるので、構成部品の交換作業が行われるタイミングを判定することができる。従って、構成部品が交換されるタイミングに合わせて当該構成部品の部品情報を読み取ることができるので、構成部品の最新の部品情報を迅速に取得することができる。
【００３０】
請求項７に記載の本発明によれば、作業者が指示手段によって構成部品の交換又は仕様変更のタイミングを指示することができるので、構成部品の交換や仕様変更が行われるタイミングを判定することができる。従って、構成部品が交換や仕様変更が行われるタイミングに合わせて当該構成部品の部品情報を読み取ることができるので、構成部品の最新の部品情報を迅速に取得することができる。
【００３１】
請求項８に記載の本発明によれば、構成部品の交換作業が行われるタイミングと判定された場合に、ＩＣタグリーダによる読み取り周期を通常時の第1の周期から当該第1の周期よりも短い第２の周期に切り替えるので、構成部品の交換直後に当該構成部品の部品情報を取得することができる。
【００３２】
請求項９に記載の本発明によれば、構成部品の交換作業を行った後、当該構成部品が適合性を有していないと判断された場合には、扉体を閉鎖不能にロックさせるようにしたので、交換を行った構成部品が防災受信機において使用不可であることを確実に作業者に通知することができる。
【００３３】
請求項１０に記載の本発明によれば、防災受信機は出力手段を備えているので、部品情報、適合性情報、又は、適合性判断結果を、出力することができる。これにより、構成部品に関する情報を作業者が容易に把握することができる。
【００３４】
請求項１１に記載の本発明によれば、交換された部品の情報の履歴や適合性判断結果を記憶手段に記憶させることで、これら各種の情報の閲覧や持ち運びを行うことができ、構成部品に関する情報を効率的に取り扱うことができる。
【００３５】
請求項１２に記載の本発明によれば、個別ＩＣタグに格納されているバッテリの使用期間を特定するための情報、及び、放電特性測定手段にて測定したバッテリの放電特性に基づいて交換時期予測手段がバッテリ交換時期を予測するので、高精度で交換時期を予測することができる。これにより適切なタイミングでバッテリの交換を行うことができ、防災受信機の信頼性を高いレベルで維持することができる。
【発明を実施するための最良の形態】
【００３６】
以下に添付図面を参照して、この発明に係る防災受信機の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００３７】
〔Ｉ〕各実施の形態に共通の基本的概念
まず、各実施の形態に共通の基本的概念について説明する。各実施の形態に係る防災受信機は、防災端末から出力される信号を受信し、火災発生の警報出力等を行うことを目的とするものである。
【００３８】
各実施形態に係る防災端末の設置対象は任意であり、例えば工場施設やビル等の大規模な建物内や、マンション等の一般住宅に設置できる。
【００３９】
各実施の形態に係る防災受信機の特徴の一つは、概略的に、構成部品に関する部品情報を格納する個別ＩＣタグを各構成部品が有しているとともに、構成部品の使用の可否に関する適合性情報を格納する統括ＩＣタグを当該防災受信機が備えている点にある。従って、個別ＩＣタグから部品情報を読み取ることで、防災受信機が有する構成部品の情報を即座に把握することができる。さらに、統括ＩＣタグから適合性情報を読み取って構成部品の部品情報と対比し、当該構成部品の適合性を容易に判断することができる。
【００４０】
〔II〕各実施の形態の具体的内容
次に、本発明に係る各実施の形態の具体的内容について説明する。
【００４１】
〔実施の形態１〕
まず実施の形態１について説明する。この形態は、統括ＩＣタグと個別ＩＣタグを備えた基本的な形態である。
【００４２】
（防災受信機の構成）
まず、防災受信機の構成を説明する。図１は、実施の形態１に係る防災受信機の電気的構成を概念的に示すブロック図である。図１に示すように、防災受信機１は、筐体１ａの内部に、複数の構成部品１０、個別ＩＣタグ２０、統括ＩＣタグ３０、ＩＣタグリーダ４０、プリンタ５０、記憶部６０、ドアセンサ７０、ドアロック８０、及び、制御部９０を備えて構成されている。
【００４３】
（防災受信機の構成−アクセスドア１ｂ）
筐体１ａには、アクセスドア１ｂが設けられている。このアクセスドア１ｂは、構成部品１０の交換や修理の際に作業者が防災受信機１の筐体１ａの内部にアクセスできるようにするため、この筐体１ａに設けられている開閉可能なドアであり、特許請求の範囲における扉体に対応している。
【００４４】
（防災受信機の構成−構成部品１０）
構成部品１０は、防災受信機１を構成している各種の部品である。構成部品１０の具体的な内容は任意であるが、例えば、通信装置、音響装置、あるいは、表示装置や、これら各装置に組み込まれる回路基板等が該当する。これら構成部品１０の一部には、当該構成部品１０において実行される各種のソフトウエアが必要に応じて組み込まれている。
【００４５】
（防災受信機の構成−個別ＩＣタグ２０）
個別ＩＣタグ２０は、防災受信機１における構成部品１０に関する部品情報を格納するためのものであり、図１に示すように各構成部品１０と対応付けられて設置されている。個別ＩＣタグ２０の設置場所は任意であり、対応する構成部品１０自体に貼付してもよく、防災受信機１の筐体１ａの内面に設置してもよい。この個別ＩＣタグ２０として用いられるＩＣタグの具体的な構成は任意であるが、非接触で情報の読み取り及び書き込みを行えることが望ましく、かつ、同時に複数のＩＣタグからの情報の読み取りが行えるようになっていることが望ましい。この様なＩＣタグとしては、例えば、ＲＦＩＤ（Ｒａｄｉｏ  Ｆｒｅｑｕｅｎｃｙ  Ｉｄｅｎｔｉｆｉｃａｔｉｏｎ）等の技術を利用したアンチコリジョン対応のＩＣタグを用いることができる。また、個別ＩＣタグ２０に格納される情報はＩＣタグリーダ４０によって任意に読取可能、かつ、ＩＣタグライタによって任意に書込可能である。
【００４６】
図２は、個別ＩＣタグ２０に格納される部品情報の具体例を示した表である。図２に示すように、部品情報の内容としては、当該個別ＩＣタグ２０に対応付けられている構成部品１０の仕様（名称、型名、定格電力、定格出力、標準品／特注品識別等）、製造年月日、搭載されているソフトウエアの有無及びバージョン、環境情報等を含めることができる。また、製造年月日を特定するための情報として、構成部品１０の製造ロットや製造シリアル番号等を含めることもできる。
【００４７】
（防災受信機の構成−統括ＩＣタグ３０）
統括ＩＣタグ３０は、防災受信機１における構成部品１０の使用の可否に関する適合性情報を格納するためのもので、特許請求の範囲における記憶手段に対応する。この統括ＩＣタグ３０は、防災受信機１の任意の位置に設置される。統括ＩＣタグ３０として用いられるＩＣタグの構成は任意であるが、上述した個別ＩＣタグ２０と同様の特性や性能を有するものであることが好ましい。この統括ＩＣタグ３０に格納される情報はＩＣタグリーダ４０によって任意に読取可能、かつ、ＩＣタグライタによって任意に書込可能である。
【００４８】
適合性情報には、防災受信機１に適合する構成部品１０の部品情報と、構成部品１０間で互いに適合する組合せについての組合せ情報とが含まれている。図３は、適合性情報の一部として統括ＩＣタグ３０に格納されている部品情報の具体例を示した表である。図３に示すように、防災受信機１に適合している構成部品１０の部品情報として、当該適合している構成部品１０の仕様、搭載ソフトウエアのバージョン、及び、環境情報を部品情報に含めることができ、当該部品情報が統括ＩＣタグ３０に格納されている。
【００４９】
図４は、適合性情報の一部として統括ＩＣタグ３０に格納されている組合せ情報の具体例を示した表である。図４に示すように、行及び列にそれぞれ構成部品１０の名称、型番、及び、ソフトウエアバージョンを列記し、複数の構成部品１０における相互の適合性を示したマトリックス状のテーブルが組合せ情報として統括ＩＣタグ３０に格納されている。すなわち、図４に示した組合せ情報によれば、通信装置と表示装置の組合せ、及び、通信装置と音響装置の組合せでは、いずれの型番やソフトウエアバージョンについても相互に適合性を有している。一方、音響装置と表示装置の組合せでは、型番ＢＦ１１１の音響装置と型番ＤＳ０１０−ＴＰ、ソフトウエアバージョンＤＳ−０３３１−０．０．１．１の表示装置との組合せ、及び、型番ＢＦ１１２の音響装置と型番ＤＳ１７２−ＴＰ、ソフトウエアバージョンＤＳ−０３３１−０．０．１．１の表示装置との組合せは、適合性を有しておらず、他の組合せは適合性を有している。なお、組合せ情報の具体的な構成はマトリックス状のテーブルでなくともよく、例えば、適合性を有する構成部品１０の組合せを羅列した情報として統括ＩＣタグ３０に格納しても良い。
【００５０】
（防災受信機の構成−ＩＣタグリーダ４０）
ＩＣタグリーダ４０は、個別ＩＣタグ２０及び統括ＩＣタグ３０に格納されている情報を読み取るためのものであり、防災受信機１の任意の位置に搭載されている。ＩＣタグリーダ４０の具体的な構成は任意であるが、非接触で情報の読取を行えることが望ましく、かつ、同時に複数のＩＣタグからの情報の読み取りが行えるようになっていることが望ましい。
【００５１】
（防災受信機の構成−プリンタ５０）
プリンタ５０は、構成部品１０の部品情報や適合性情報、又は、後述する適合性判断の結果を印字用紙に印字出力するためのものであり、特許請求の範囲における出力手段に対応している。
【００５２】
（防災受信機の構成−記憶部６０）
記憶部６０は、防災受信機１の各種の制御に必要なプログラム及びデータを記憶するもので、特許請求の範囲における記憶手段に対応する。この記憶部６０の具体的構成は任意であるが、例えば、ＨＤ（Ｈａｒｄ  Ｄｉｓｋ）やフラッシュメモリを用いることができる。
【００５３】
（防災受信機の構成−ドアセンサ７０）
ドアセンサ７０は、アクセスドア１ｂの開閉を感知するセンサであり、特許請求の範囲における交換感知手段に対応している。
【００５４】
（防災受信機の構成−ドアロック８０）
ドアロック８０は、アクセスドア１ｂの開閉をロックするためのものであり、制御部９０によって制御される。
【００５５】
（防災受信機の構成−制御部９０）
制御部９０は、防災受信機１における各部を制御する制御手段であり、機能概念的に、図１に示すように、ＩＣタグリーダ制御部９１、適合性判断処理部９２、プリント制御部９３、及び、防災制御部９４を備えている。このうち、ＩＣタグリーダ制御部９１は、個別ＩＣタグ２０及び統括ＩＣタグ３０に格納されている情報を読み取る際に、ＩＣタグリーダ４０を制御する。適合性判断処理部９２は、ＩＣタグリーダ４０を用いて個別ＩＣタグ２０及び統括ＩＣタグ３０から読み取った部品情報及び適合性情報に基づいて構成部品１０の使用の可否を判断するためのものであり、特許請求の範囲における適合性判断手段に対応している。プリント制御部９３は、部品情報や適合性情報をプリンタ５０を用いて印字させる際に、プリンタ５０を制御するためのものである。防災制御部９４は、防災端末２から出力された信号の処理を行うと共に、警報の発報やスプリンクラーの作動など、防災設備の制御を行うためのものである。
【００５６】
この制御部９０の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００５７】
（防災受信機の機能−適合性情報の更新）
次に、上述のような構成を有する防災受信機１の機能について説明する。従来の構成部品１０とは異なる仕様の構成部品１０や新しいバージョンのソフトウエアを搭載した構成部品１０が開発された場合に、これらの新たな構成部品１０に関して適合性情報を更新する必要がある。そこで、更新すべき適合性情報を予めＩＣタグライタに読み込ませておき、当該ＩＣタグライタを用いて更新対象となる防災受信機１の統括ＩＣタグ３０に格納されている適合性情報を書き換えることができる。なお、ＩＣタグライタの具体的構成については任意であるが、異なる場所に設置されている防災受信機１の適合性情報を更新するためには携帯可能であることが望ましい。
【００５８】
（防災受信機の機能−構成部品の交換又は仕様変更時の適合性判断）
構成部品１０の不具合や、性能向上のための改修などの理由により構成部品１０の交換や仕様変更を行う場合、当該構成部品１０の部品情報及び適合性情報に基づき、適合性の判断が実施される。以下、構成部品１０の交換及び当該構成部品１０に関する適合性判断の流れについて説明する。図５は、構成部品１０の交換時の作業手順を示すフローチャートである。
【００５９】
図５に示すように、ＩＣタグリーダ制御部９１は、構成部品１０の交換や仕様変更が行われていない時（通常時）、周期的にＩＣタグリーダ４０を制御し、個別ＩＣタグ２０から部品情報を取得させる（ステップＳＡ−１）。以下、この時のＩＣタグリーダ４０による読み取り周期を「第1の周期」と称する。
【００６０】
そして、ＩＣタグリーダ制御部９１は、取得した部品情報を記憶部６０に記憶させる。この際、ＩＣタグリーダ制御部９１は、取得した部品情報と、その時点において記憶部６０に格納されている部品情報（前回取得した部品情報）とを相互に対比することで、取得した部品情報と前回取得した部品情報との間に差異が存在するか否かを判定する。そして、差異が存在する場合（例えばソフトウエアのバージョンアップを行った場合等）、ＩＣタグリーダ制御部９１は、構成部品１０の仕様変更があったと判定し（ステップＳＡ−２、Ｙｅｓ）、ステップＳＡ−７以降の処理を実施する。
【００６１】
一方、取得した部品情報と前回取得した部品情報との間に差異がない場合（ステップＳＡ−２、Ｎｏ）、ＩＣタグリーダ制御部９１は、ＩＣタグリーダ４０による部品情報の取得を継続する。次いで、ＩＣタグリーダ制御部９１は、アクセスドア６０の開扉がドアセンサ７０により感知されているか否かを確認し、感知されている場合には（ステップＳＡ−３、Ｙｅｓ）、部品交換作業が開始されたと判定し、ＩＣタグリーダ４０に部品情報を取得させる周期を第1の周期よりも短くする（ステップＳＡ−４）。以下、この時のＩＣタグリーダ４０による読み取り周期を「第２の周期」と称する。
【００６２】
そして、ＩＣタグリーダ制御部９１は、取得した部品情報を記憶部６０に記憶させる。この際、ＩＣタグリーダ制御部９１は、取得した部品情報と、その時点において記憶部６０に格納されている部品情報（前回取得した部品情報）とを相互に対比することで、取得した部品情報と前回取得した部品情報との間に差異が存在するか否かを判定する。そして、差異が存在する場合、ＩＣタグリーダ制御部９１は、構成部品１０の交換が有ったと判断し（ステップＳＡ−５、Ｙｅｓ）、ドアロック８０を制御することで、開扉されているアクセスドア１ｂを閉鎖不可能なようにロックする（ステップＳＡ−６）。
【００６３】
続いて、ＩＣタグリーダ制御部９１は、ＩＣタグリーダ４０を制御し、仕様変更や部品交換が行われた構成部品１０の個別ＩＣタグ２０から部品情報を取得させると共に、統括ＩＣタグ３０から適合性情報を取得させる（ステップＳＡ−７）。ここで、交換された構成部品１０の個別ＩＣタグ２０の識別方法としては、例えば、各ＩＣタグに予め記憶させたＩＣタグ識別番号を読み取り、このＩＣタグ識別番号を部品情報と共に記憶部６０に記憶させておくことで、ステップＳＡ−２やＳＡ−５の判定時に、仕様変更や部品交換に対応するＩＣタグを特定することができる。また、個別ＩＣタグ２０と統括ＩＣタグ３０との相互間の識別方法としては、例えば、ＩＣタグの種別を示す種別情報を各ＩＣタグに予め記憶させておき、これを部品情報や適合性情報と共に読み取ることで、識別することができる。なお、これら複数のＩＣタグに対しては、アンチコリジョン機能を用いて、同時に情報の読み取りを行うことができる。
【００６４】
次いで、適合性判断処理部９２は、取得した部品情報及び適合性情報を参照し、適合性の有無の判断を行う。すなわち、適合性判断処理部９２は、取得した部品情報に含まれている構成部品１０の仕様、ソフトウエアバージョン、及び、環境情報が、防災受信機１に適合している構成部品１０の部品情報として適合性情報の中に含まれているか否かを判定する（ステップＳＡ−８）。
【００６５】
取得した部品情報が適合性情報の中に含まれていた場合（ステップＳＡ−８、Ｙｅｓ）、適合性判断処理部９２は、適合性情報における組合せ情報を参照し、取得した部品情報に含まれている構成部品１０の仕様及びソフトウエアバージョンが、他の構成部品１０の仕様及びソフトウエアバージョンと適合しているか否かを判定する（ステップＳＡ−９）。
【００６６】
取得した部品情報が他の構成部品１０の部品情報に対して適合している場合（ステップＳＡ−９、Ｙｅｓ）、適合性判断処理部９２は、交換の結果取り付けられた構成部品１０が防災受信機１において適合する（使用可能）と判断し、当該判断結果、構成部品１０の交換日時、及び、交換された構成部品１０の部品情報をプリント制御部９３に対して出力する（ステップＳＡ−１０）。さらに、これらの情報を適合性判断履歴や部品交換履歴として統括ＩＣタグ３０や記憶部６０に記憶させる（ステップＳＡ−１１）。次に、プリント制御部９３は入力された判断結果等をプリンタ５０に出力させる（ステップＳＡ−１２）。ＩＣタグリーダ制御部９１は、ＩＣタグリーダ４０に部品情報を取得させる周期を第1の周期に戻し（ステップＳＡ−１３）、さらに、ドアロック８０は、閉鎖不可能なようにロックされていたアクセスドア１ｂのロックを解除する（ステップＳＡ−１４）。
【００６７】
一方、ステップＳＡ−８又はステップＳＡ−９の判定がＮｏであった場合、適合性判断処理部９２は、交換の結果取り付けられた構成部品１０が防災受信機１において適合しない（使用不可能）と判断し、当該判断結果、及び、構成部品１０の交換日時をプリント制御部９３に対して出力する（ステップＳＡ−１５）。この時、適合性判断処理部９２に、当該構成部品１０と同一の名称であって防災受信機１において使用可能な構成部品１０の仕様を適合性情報から取得させ、その仕様をプリント制御部９３に対して出力させることもできる。プリント制御部９３は入力された判断結果等をプリンタ５０に出力させる（ステップＳＡ−１６）。そして、ＩＣタグリーダ制御部９１は、防災受信機１において使用可能な構成部品１０に交換されるまで、ＩＣタグリーダ４０に部品情報の取得を継続させると共に、ドアロック８０によるアクセスドア１ｂのロックを閉鎖状態に維持することで、アクセスドア１ｂを閉めて交換作業が終わってしまうことを防止する。
【００６８】
（実施の形態１の効果）
このように実施の形態１によれば、防災受信機１は、各構成部品１０の部品情報を格納した個別ＩＣタグ２０と、構成部品１０の使用の可否に関する適合性情報を格納した統括ＩＣタグ３０とを備えている。従って、ＩＣタグリーダ４０を用いて部品情報と適合性情報とを参照することができ、構成部品１０の使用の可否を容易に判断することができる。非接触式のＩＣタグを用いている場合は、防災受信機１の外部からＩＣタグリーダ４０によってＩＣタグに格納されている情報を読み取ることも可能なため、防災受信機１の出荷先において点検者等が部品情報及び適合性情報を読み取り、その時点での防災受信機１の仕様等を包括的に確認することもできる。また、個別ＩＣタグ２０に格納されている部品情報には、当該構成部品１０の環境情報も含めることができるので、当該構成部品１０に使用されている材料のトレーサビリティを容易に確立することができる。
【００６９】
また、統括ＩＣタグ３０に格納される適合性情報は、防災受信機１に適合している構成部品１０の部品情報に加えて、構成部品１０の間の相互の適合性を示す組合せ情報をも含んでいるので、構成部品１０の使用の可否判断を漏れなく容易に実施することができ、無用の不具合を防止することができる。また、統括ＩＣタグ３０は任意に書込可能なので、ＩＣタグライタを用いて常に最新の適合性情報を書込させることができる。
【００７０】
また、防災受信機１はＩＣタグリーダ４０、及び、適合性判断処理部９２を備えているので、個別ＩＣタグ２０及び統括ＩＣタグ３０からの情報取得、及び、構成部品１０の適合性の判断にいたる処理を、当該防災受信機１のみで実施することができる。
【００７１】
また、所定の周期でＩＣタグリーダ４０に部品情報の読取を行わせているので、各構成部品１０の最新の部品情報を取得することができる。
【００７２】
さらに、ドアセンサ７０を設け、構成部品１０の交換のためにアクセスドア１ｂが開扉されたことを感知できるので、構成部品１０の交換作業が行われるタイミングを判定することができる。従って、構成部品１０が交換されるタイミングに合わせて当該構成部品１０の部品情報を読み取ることができるので、構成部品１０の最新の部品情報を迅速に取得することができる。
【００７３】
また、ドアセンサ７０によってアクセスドア１ｂの開扉を感知し、構成部品１０の交換作業が行われるタイミングと判定された場合に、ＩＣタグリーダ４０による部品情報の読み取り周期を第1の周期から当該第1の周期よりも短い第2の周期に切り替えるので、各構成部品１０の最新の部品情報を迅速かつ確実に取得することができる。
【００７４】
また、構成部品１０の交換のために防災受信機１の筐体１ａの内部にアクセスするためのアクセスドア１ｂを開扉して交換作業を行った後、当該構成部品１０が適合性を有していないと判断された場合には、アクセスドア１ｂを閉鎖不可能なようにロックさせるようにしたので、交換を行った構成部品１０が防災受信機１において使用不可であることを確実に作業者に通知することができる。
【００７５】
また、防災受信機１はプリンタ５０を備えているので、部品情報、適合性情報、又は、適合性判断結果を、印字出力することができる。これにより、構成部品１０に関する情報を作業者が容易に把握することができる。
【００７６】
〔実施の形態２〕
次に、実施の形態２について説明する。この形態は、放電特性測定手段と、交換時期予測手段を備えた形態である。
【００７７】
図６は、実施の形態２に係る防災受信機の電気的構成を概念的に示すブロック図である。なお、実施の形態２の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００７８】
まず、実施の形態２に係る防災受信機１の構成を説明する。図６に示すように、防災受信機１は、構成部品１０の1つとしてのバッテリ１００、バッテリ１００を含む各構成部品１０に対応付けられた個別ＩＣタグ２０、及び、放電特性測定部１１０を備えている。
【００７９】
（防災受信機の構成−バッテリ）
バッテリ１００は、外部から防災受信機１への電力供給が断たれた場合、当該バッテリ１００から防災受信機１に電力を供給することによって一定の期間防災受信機１の動作を継続させる非常用電源手段である。このバッテリ１００は、防災受信機１の筐体１ａの内部に設置され、防災受信機１の図示しない電力供給系統に図示しない接続手段を介して接続されている。なお、バッテリ１００の具体的な構成は任意であり、例えばニッケル−カドミウム蓄電池やリチウムイオン蓄電池等を用いることができる。
【００８０】
（防災受信機の構成−個別ＩＣタグ２０）
図７は、バッテリ１００に対応付けられた個別ＩＣタグ２０に格納されている部品情報を示した表である。図７に示すように、個別ＩＣタグ２０に格納されているバッテリ１００に関する部品情報は、バッテリ１００の使用期間を特定するための情報を含んでいる。バッテリ１００の使用期間を特定するための情報の具体的な内容は任意であるが、図７に示したようにバッテリ１００の製造年月日を記録してもよく、あるいは、防災受信機１が組み立てられた日時を記録してもよい。
【００８１】
（防災受信機の構成−放電特性測定部１１０）
放電特性測定部１１０は、バッテリ１００の放電特性を測定するためのものであり、特許請求の範囲における放電特性測定手段に対応する。放電特性測定部１１０を用いてバッテリ１００の放電特性を測定することにより、当該バッテリ１００の放電容量を推定することができる。放電特性測定部１１０の具体的構成は任意であるが、バッテリ１００の放電電圧を計測する図示しない電圧計と、計測した電圧値を時系列で記録可能な図示しない記録部とを備えていることが望ましい。この場合、バッテリ１００を定電流放電させた場合の放電電圧を電圧計を用いて計測し、当該放電電圧の時間変化を記録して、これを放電特性とすることができる。さらに、定期的に実施されるバッテリ試験において上述の放電特性を測定し、バッテリ１００の使用期間の経過に伴う当該放電特性の経時変化を記録部に記録することができる。なお、バッテリ１００の放電特性から放電容量を推定する方法については公知の技術であるため、説明を省略する。
【００８２】
（防災受信機の構成−交換時期予測部９５）
図６に示すように、制御部９０は、交換時期予測部９５を備えている。交換時期予測部９５は、バッテリ１００の交換が必要となる時期を予測するためのものであり、特許請求の範囲における交換時期予測手段に対応している。交換時期予測部９５は、ＩＣタグリーダ制御部９１を介して取得したバッテリ１００の部品情報と、放電特性測定部１１０を介して取得したバッテリ１００の放電特性に基づき、バッテリ１００の交換が必要となる時期を予測する。また、予測結果はプリント制御部９３に出力され、プリント制御部９３に制御されたプリンタ５０から印字出力される。
【００８３】
（防災受信機の機能−バッテリ交換時期の予測）
次に、交換時期予測部９５が実施するバッテリ交換時期の予測の具体的な手順について説明する。図８は、交換時期予測の流れを示したフローチャートである。バッテリ１００の交換が必要となる主なケースとして、（１）バッテリ１００の推奨使用期間を経過した場合、（２）バッテリ１００の放電容量が時間の経過や充放電サイクル数の増加に伴って低下し、防災受信機１を所定の時間動作させることができなくなった場合の２つのケースが挙げられる。そこで、交換時期予測部９５は、（１）及び（２）の原因で交換が必要となる時期を予測し、いずれか早い時期をバッテリ交換時期としてプリント制御部９３に出力する。以下、図８を参照して、交換時期予測部９５が（１）及び（２）のそれぞれの原因についてのバッテリ交換時期予測を実施する流れを説明する。
【００８４】
（バッテリ交換時期予測の流れ）
まず、バッテリ交換時期の予測を実施させるタイミングは任意であり、定期的に実施させてもよく、外部からの所定の操作による入力に従って実施させてもよい。ここでは、定期的に実施されるバッテリ試験に合わせて交換時期予測を実施させることを前提とする。
【００８５】
（１）推奨使用期間の経過
図８に示すように、交換時期予測部９５は、交換時期予測を実施するタイミングか否かを判断する（ステップＳＢ−１）。具体的には、バッテリ試験が実施され、この試験の結果、交換時期予測を行うタイミングであると判断されると（ステップＳＢ−１、Ｙｅｓ）、ＩＣタグリーダ制御部９１に対して、バッテリ１００に対応付けられている個別ＩＣタグ２０の読取を要求する（ステップＳＢ−２）。
【００８６】
ＩＣタグリーダ制御部９１は、ＩＣタグリーダ４０を動作させてバッテリ１００に対応付けられている個別ＩＣタグ２０から部品情報を取得（ステップＳＢ−３）し、交換時期予測部９５に出力する。
【００８７】
交換時期予測部９５は、入力された部品情報からバッテリ１００の使用期間を特定し（ステップＳＢ−４）、バッテリ１００の推奨使用期間に対して残存している使用期間がどの程度かを算出し、バッテリ１００の推奨使用期間に基づく交換時期を予測する（ステップＳＢ−５）。
【００８８】
（２）バッテリ放電容量の低下
次に、交換時期予測部９５は、バッテリ試験において放電特性測定部１１０で測定したバッテリ１００の放電特性の経時変化から、当該バッテリ１００の放電容量の経時変化を算出する（ステップＳＢ−６）。
【００８９】
さらに、算出した放電容量の経時変化から放電容量の劣化カーブを導出し（ステップＳＢ−７）、当該劣化カーブから放電容量が所定の値を下回る時期、すなわち、バッテリ１００の交換が必要となる時期を予測する（ステップＳＢ−８）。なお、バッテリ１００の放電特性からバッテリ１００の内部抵抗値を求め、当該内部抵抗値が所定の値を上回る時期を予測することにより、バッテリ１００の交換が必要となる時期を予測するようにしてもよい。
【００９０】
上述のように求めたバッテリ１００の推奨使用期間に基づく交換時期と放電容量低下に基づく交換時期とを比較し（ステップＳＢ−９）、より早い方の時期をバッテリ交換時期としてプリント制御部９３に出力する（ステップＳＢ−１０）。プリント制御部９３は、入力されたバッテリ交換時期をプリンタ５０から印字出力させる（ステップＳＢ−１１）。
【００９１】
（実施の形態２の効果）
このように実施の形態２によれば、実施の形態１と同様の基本的な効果に加えて、個別ＩＣタグ２０に格納されているバッテリ１００の使用期間を特定するための情報、及び、放電特性測定部１１０にて測定したバッテリ１００の放電特性に基づいて交換時期予測部９５がバッテリ交換時期を予測するので、高い精度で交換時期を予測することができる。これにより適切なタイミングでバッテリ１００の交換を行うことができ、防災受信機１の信頼性を高いレベルで維持することができる。
【００９２】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００９３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００９４】
（各実施の形態の相互の関係について）
上記説明した各実施の形態は、任意の組み合わせで相互に組み合わせることができる。例えば、実施の形態１における各構成部品１０の推奨使用期間を部品情報の一部として個別ＩＣタグ２０に格納することにより、実施の形態２における交換時期予測部９５にてバッテリ１００以外の構成部品１０についても交換時期を予測させることができる。
【００９５】
（適合性の判断について）
実施の形態１では、個別ＩＣタグ２０及び統括ＩＣタグ３０に格納されている情報を、防災受信機１が備えるＩＣタグリーダ４０によって読み取り、適合性判断処理部９２にて適合性の判断を行っている。これに対して、防災受信機１の外部からＩＣタグリーダによって個別ＩＣタグ２０及び統括ＩＣタグ３０に格納されている情報を読み取らせ、適合性の判断を行わせてもよい。例えば、適合性判断機能を有するハンディタイプのＩＣタグリーダを用いて個別ＩＣタグ２０及び統括ＩＣタグ３０に格納されている情報の読み取りを行い、読み取った情報に基づいて適合性の判断を行わせてもよい。
【００９６】
（構成部品の交換作業又は仕様変更のタイミング判定について）
実施の形態１では、ＩＣタグリーダ制御部９１は、周期的に取得している部品情報の比較、あるいは、ドアセンサ７０によるアクセスドア１ｂの開扉感知によって構成部品１０の交換作業のタイミングを判定しているが、交換を行った作業者に、ＩＣタグリーダ制御部９１に対して構成部品１０の交換や仕様変更のタイミングであることを指示するコマンドを図示しないキーボードやタッチパネル等の指示手段を介して入力させてもよい。これにより、交換作業や仕様変更の際にアクセスドア１ｂの開扉を伴わない場合でも、各構成部品１０の最新の部品情報を迅速かつ確実に取得することができる。
【００９７】
（統括ＩＣタグについて）
実施の形態１では、統括ＩＣタグ３０は防災受信機１の任意の位置に設置されているが、作業者が防災受信機１に対する構成部品１０の適合性判断を行う際に、当該防災受信機１に統括ＩＣタグ３０を組み込むようにしても良い。これにより、作業者が作業を行う際、常に最新の適合性情報が格納された統括ＩＣタグ３０を適合性判断処理部９２に参照させることができ、適切に適合性判断を行わせることができる。
【００９８】
（適合性判断結果の通知について）
実施の形態１では、適合性の判断結果をプリンタ５０にて印字出力させているが、ベル等の音響装置を用いて警報出力をさせたり、ディスプレイ等の表示装置を用いて適合性の判断結果を表示させたりしてもよい。これにより、適合性の判断結果を作業者に確実に通知することができる。また、部品交換の履歴や適合性判断結果を統括ＩＣタグ３０や記憶部６０に格納させることにより、格納した情報の閲覧や持ち運びを可能にすることもできる。
【００９９】
（バッテリ交換時期予測の印字出力）
実施の形態２では、バッテリ１００の交換時期予測の結果をプリンタ５０にて印字出力させているが、この時にバッテリ試験によって得られたバッテリ１００の放電電圧値及びバッテリ１００の使用期間を合わせて印字出力させてもよい。バッテリ１００の放電電圧値及びバッテリ１００の使用期間を交換時期予測の結果と比較参照することより、予測されたバッテリ１００の交換時期の妥当性を確認することができる。
【産業上の利用可能性】
【０１００】
この発明に係る防災受信機は、交換可能な複数の構成部品を有する防災受信機に適用でき、特に構成部品の交換や仕様変更が行われる場合において当該構成部品の使用の可否について容易に判断可能な防災受信機に有用である。
【図面の簡単な説明】
【０１０１】
【図１】本発明の実施の形態１に係る防災受信機の電気的構成を概念的に示すブロック図である。
【図２】個別ＩＣタグに格納される部品情報の具体例を示した図である。
【図３】適合性情報の一部として統括ＩＣタグに格納されている部品情報の具体例を示した図である。
【図４】適合性情報の一部として統括ＩＣタグに格納されている組合せ情報の具体例を示した図である。
【図５】構成部品の交換時の作業手順を示すフローチャートである。
【図６】本発明の実施の形態２に係る防災受信機の電気的構成を概念的に示すブロック図である。
【図７】バッテリに対応付けられた個別ＩＣタグに格納されている部品情報を示した図である。
【図８】交換時期予測の流れを示したフローチャートである。
【符号の説明】
【０１０２】
１  防災受信機
１ａ  筐体
１ｂ  アクセスドア
１０  構成部品
２０  個別ＩＣタグ
３０  統括ＩＣタグ
４０  ＩＣタグリーダ
５０  プリンタ
６０  記憶部
７０  ドアセンサ
８０  ドアロック
９０  制御部
９１  ＩＣタグリーダ制御部
９２  適合性判断処理部
９３  プリント制御部
９４  防災制御部
９５  交換時期予測部
１００  バッテリ
１１０  放電特性測定部
２  防災端末
【図１】
2008217416.tif 000003
【図２】
2008217416.tif 000004
【図３】
2008217416.tif 000005
【図４】
2008217416.tif 000006
【図５】
2008217416.tif 000007
【図６】
2008217416.tif 000008
【図７】
2008217416.tif 000009
【図８】
2008217416.tif 000010